(57)【要約】      （修正有）【課題】グラフィックカード上の各発熱源に対応する放熱装置を個別に制御し、放熱装置の出力と発熱源の温度の高低を正比例させる、非同期温度制御統合装置を提供する。【解決手段】非同期温度制御統合装置は主に、グラフィックプロセッサ１１と給電回路１２を備えたグラフィックカード本体１と、グラフィックプロセッサ上に設置された第１放熱装置２と、第１放熱装置の一側に設置された少なくとも１つの第１温度センサー２１と、給電回路上に設置された少なくとも１つの第２放熱装置３と、第２放熱装置の一側に設置された少なくとも１つの第２温度センサー３１と、グラフィックカード本体上に設置され、第１温度センサーと第２温度センサーに電気的に接続された制御装置４とを含み、２組の放熱装置及び温度センサーを利用して、２つの主要発熱源の温度をそれぞれ検出し、かつ制御装置で２つの放熱装置の放熱効果を個別に制御して、即時かつ効率的に放熱装置の作用を発揮させる。【選択図】図２
0003214261.tif 000002
【実用新案登録請求の範囲】
【請求項１】
非同期温度制御統合装置であって、
グラフィックプロセッサと、該グラフィックプロセッサの一側に設置された給電回路を備えたグラフィックカード本体と、
該グラフィックプロセッサ上に設置された第１放熱装置と、
該第１放熱装置の一側に設置された少なくとも１つの第１温度センサーと、
該給電回路上に設置された少なくとも１つの第２放熱装置と、
該第２放熱装置の一側に設置された少なくとも１つの第２温度センサーと、
該グラフィックカード本体上に設置され、かつ該第１温度センサーと該第２温度センサーに電気的に接続され、該第１放熱装置及び該第２放熱装置の放熱効果を個別に制御する制御装置と、
を含むことを特徴とする、非同期温度制御統合装置。
【請求項２】
前記制御装置に情報接続された制御モジュールを含むことを特徴とする、請求項１に記載の非同期温度制御統合装置。
【請求項３】
前記第１温度センサー及び前記第２温度センサーの一側に、異なる色の光で温度を表示する少なくとも１つの発光素子が設置されたことを特徴とする、請求項１に記載の非同期温度制御統合装置。
【請求項４】
前記制御装置内に、該第１放熱装置及び該第２放熱装置を最大出力で強制的に駆動させる高出力駆動モジュールが設置されたことを特徴とする、請求項１に記載の非同期温度制御統合装置。
【請求項５】
前記制御装置が、該高出力駆動モジュールに電気的に接続され、少なくとも１つの高出力プログラムのリストを保存したシナリオデータベースを含むことを特徴とする、請求項４に記載の非同期温度制御統合装置。
【請求項６】
前記シナリオデータベースが、高出力プログラムの起動と停止を検出する検出ユニットを含むことを特徴とする、請求項５に記載の非同期温度制御統合装置。
【請求項７】
前記制御装置が、該グラフィックプロセッサの動作周波数情報を読み取る周波数フィードバックモジュールを含むことを特徴とする、請求項１に記載の非同期温度制御統合装置。
【請求項８】
前記制御装置内に、該第１温度センサーと該第２温度センサーの温度情報、及び該グラフィックプロセッサの動作周波数情報を統合して制御情報を生成する統合ユニットが設置されたことを特徴とする、請求項７に記載の非同期温度制御統合装置。
【考案の詳細な説明】
【技術分野】
【０００１】
本考案は非同期温度制御統合装置に関し、特に、グラフィックカード上の各発熱源を即時かつ効果的に、余計に電力を消費しない方法で駆動し、発熱源に対応する放熱装置を個別に制御する、非同期温度制御統合装置に関する。
【背景技術】
【０００２】
高画質の時代が到来し、テレビやコンピュータ、ゲーム、映画などのディスプレイ画面はいずれもＤＶＤ、ブルーレイから４Ｋとゆっくり進化しており、その主な差異は解像度にある。高解像度の画面はコンピュータにとってはより多くの画素の演算であるため、中央処理装置の性能のほか、グラフィックカードの性能も画面の表示品質に直接影響する。相対して、ハードウェアの動作中に生じる熱エネルギーが大量に増加し、大量の発熱源（中央処理装置、グラフィックカード、電源供給器を含む）が発生する熱エネルギーを即時に排除できるか否かが、すでに現今のコンピュータが長時間正常に動作できるか否かの最大要素の１つとなっている。
【０００３】
放熱ファンの場合、高速運転は高効率の放熱に相当し、また消費電力の累積にも相当する。即時に放熱できないと、ハードウェア設備が熱によってダウンする可能性があり、高速回転で放熱を続けると、大量の電力を消費し、さらには電源供給器の負荷を高める可能性がある。省電力、二酸化炭素削減の政策下で、業界では発熱源の温度を検出し、同期してすべてのファンの回転速度を調整できるファン回転速度制御システムが開発されており、例えば発熱源が低温のとき、各ファンは低い回転速度で動作し、発熱源が高温のとき、各ファンは高い回転速度で動作する。
【０００４】
しかしながら、上述のファン回転速度制御システムは使用時に次のような問題と欠点が確実に存在し、改善が必要である。
一、 各発熱源は相互に温度の違いがあり、回転速度の同期調整方式による制御では、判断の匙加減が難しく、低温の発熱源に基づくと、高温の発熱源を効果的に放熱させることができず、高温の発熱源に基づくと、低温の発熱源に無駄な電力を費やしてしまう。
二、 測定された温度に基づいて受動的にファン回転速度を調整するだけでは、発熱源が高仕事率で動作して大量に発熱するとき、回転速度の調整が間に合わず、発熱源が高温の上限に達してしまう可能性がある。
【０００５】
このため、上述の従来の問題と欠点をどのように解決するかが、本考案の出願人とこの産業に従事する関連企業が改善を研究する方向性となっている。
【考案の概要】
【考案が解決しようとする課題】
【０００６】
本考案の主な目的は、グラフィックカード上の異なる位置にある発熱源に対して温度のモニタリングを行い、異なる発熱源に対応する位置の放熱装置を個別に制御して、放熱装置の出力と発熱源の温度の高低を正比例させる、非同期温度制御統合装置を提供することにある。
【課題を解決するための手段】
【０００７】
上述の目的を達するため、本考案の非同期温度制御統合装置は、グラフィックプロセッサと、該グラフィックプロセッサの一側に設置された給電回路を備えたグラフィックカード本体と、該グラフィックプロセッサ上に設置された第１放熱装置と、該第１放熱装置の一側に設置された少なくとも１つの第１温度センサーと、該給電回路上に設置された少なくとも１つの第２放熱装置と、該第２放熱装置の一側に設置された少なくとも１つの第２温度センサーと、該グラフィックカード本体に設置され、かつ該第１温度センサーと該第２温度センサーに電気的に接続され、該第１放熱装置及び該第２放熱装置の放熱効果を個別に制御する制御装置と、を含み、使用者が本考案の非同期温度制御統合装置を操作するとき、該グラフィックカード本体の２つの主要発熱源（グラフィックプロセッサ及び給電回路）上にそれぞれ放熱装置が設けられ、第１温度センサー及び第２温度センサーを利用して２つの発熱源の温度をそれぞれ検出し、制御装置が検出結果に基づいて第１放熱装置または第２放熱装置の出力を個別に制御することで、異なる熱の温度に対応できることが分かる。これにより、余計な電力の消費を回避し、即時に放熱装置の出力を調整することができる。
【０００８】
請求項１に記載する非同期温度制御統合装置は、グラフィックプロセッサと、該グラフィックプロセッサの一側に設置された給電回路を備えたグラフィックカード本体と、該グラフィックプロセッサ上に設置された第１放熱装置と、該第１放熱装置の一側に設置された少なくとも１つの第１温度センサーと、該給電回路上に設置された少なくとも１つの第２放熱装置と、該第２放熱装置の一側に設置された少なくとも１つの第２温度センサーと、該グラフィックカード本体上に設置され、かつ該第１温度センサーと該第２温度センサーに電気的に接続され、該第１放熱装置及び該第２放熱装置の放熱効果を個別に制御する制御装置と、を含む。
【０００９】
請求項２に記載する非同期温度制御統合装置はさらに、請求項１における制御装置に情報接続された制御モジュールを含む。
【００１０】
請求項３に記載する非同期温度制御統合装置は、請求項１における第１温度センサー及び第２温度センサーの一側に、異なる色の光で温度を表示する少なくとも１つの発光素子が設置される。
【００１１】
請求項４に記載する非同期温度制御統合装置は、請求項１における制御装置内に、該第１放熱装置及び該第２放熱装置を最大出力で強制的に駆動させる高出力駆動モジュールが設置される。
【００１２】
請求項５に記載する非同期温度制御統合装置は、請求項４における制御装置が、該高出力駆動モジュールに電気的に接続され、少なくとも１つの高出力プログラムのリストを保存したシナリオデータベースを含む。
【００１３】
請求項６に記載する非同期温度制御統合装置は、請求項５におけるシナリオデータベースが、高出力プログラムの起動と停止を検出する検出ユニットを含む。
【００１４】
請求項７に記載する非同期温度制御統合装置は、請求項１における制御装置が、該グラフィックプロセッサの動作周波数情報を読み取る周波数フィードバックモジュールを含む。
【００１５】
請求項８に記載する非同期温度制御統合装置は、請求項７における制御装置内に、該第１温度センサーと該第２温度センサーの温度情報、及び該グラフィックプロセッサの動作周波数情報を統合して制御情報を生成する統合ユニットが設置される。
【考案の効果】
【００１６】
上述の技術により、従来のファン回転速度制御システムに存在する、すべてのファンの回転速度を同期調整する方法では温度の違いに対応できず、放熱動作が間に合わなかったり、余計な電力を消費したりする問題点を打破し、上述の利点により実用的な進歩性を達成することができる。
【図面の簡単な説明】
【００１７】
【図１】本考案の最良の実施例の立体図である。
【図２】本考案の最良の実施例の分解図である。
【図３】本考案の最良の実施例の実施を示す概略図である。
【図４】本考案の最良の実施例の温度と回転速度の関係図である。
【図５】本考案の別の最良の実施例の分解図である。
【図６】本考案の別の最良の実施例の実施を示す概略図１である。
【図７】本考案の別の最良の実施例の実施を示す概略図２である。
【図８】本考案の別の実施例の温度と回転速度の関係図である。
【図９】本考案のさらに別の最良の実施例の分解図である。
【図１０】本考案のさらに別の最良の実施例の回転速度の三次元関係図である。
【考案を実施するための形態】
【００１８】
図１と図２に本考案の最良の実施例の立体図と分解図をそれぞれ示す。これらの図からはっきりと分かるように、本考案は、
グラフィックプロセッサ１１と、該グラフィックプロセッサ１１の一側に設置された給電回路１２を備えたグラフィックカード本体１と、
該グラフィックプロセッサ１１上に設置された第１放熱装置２（本実施例では放熱ファンで代表する）と、
該第１放熱装置２の一側に設置された少なくとも１つの第１温度センサー２１と、
該給電回路１２上に設置された少なくとも１つの第２放熱装置３（本実施例では放熱ファンで代表する）と、
該第２放熱装置３の一側に設置された少なくとも１つの第２温度センサー３１と、
該第１温度センサー２１及び該第２温度センサー３１の一側に設置され、異なる色の光で温度を示す少なくとも１つの発光素子１３と、
該グラフィックカード本体１上に設置され、かつ該第１温度センサー２１と該第２温度センサー３１に電気的に接続され、該第１放熱装置２及び該第２放熱装置３の放熱効果を個別に制御する制御装置４と、を含む。
【００１９】
上述の説明から本技術の構造を理解することができるが、この構造に基づいた対応する組み合わせで、グラフィックカード上の各発熱源に対して即時に効果的かつ余計な電力を消費しない駆動方法で、発熱源に対応する放熱装置を個別に制御できる等の優位性について、以下の説明で詳細に解説する。
【実施例１】
【００２０】
図１から図４に示す本考案の最良の実施例の立体図、分解図、実施概略図、温度と回転速度の関係図を同時に参照する。上述の構成部材の組み立て時、これらの図からはっきりと分かるように、本考案は直接グラフィックカード本体１のグラフィックプロセッサ１１及び給電回路１２の２つの大きな発熱源箇所において、第１放熱装置２と第２放熱装置３をそれぞれ設置し、第１温度センサー２１、第２温度センサー３１を利用してその温度を検出した後、得られた温度情報を制御装置４に伝達し、制御装置４が異なる発熱源の異なる温度情報に基づき、異なる放熱効果（即ち、異なるファン回転速度）の制御を行う。例えば、第１温度センサー２１の温度情報が７０℃、第２温度センサー３１の温度情報が５０℃のとき、制御装置４は第１放熱装置２の回転速度を２０００ｒｐｍに、第２放熱装置３の回転速度を５００ｒｐｍに設定し、発光素子１３の単色、多色または混合色の光を利用して温度状態を反映させる。これにより、異なる熱の温度に対して異なる放熱効果を発揮させ、グラフィックカード本体１上の異なる熱源箇所の各放熱装置を非同期の方式で運転させて、効率的に電力を高い回転速度を必要とするファンに分配する。
【実施例２】
【００２１】
さらに図５から図８の本考案の別の最良の実施例の分解図、実施概略図１、実施概略図２、温度と回転速度の関係図を同時に参照する。これらの図からはっきりと分かるように、本実施例は上述の実施例と類似しているが、該制御装置４ａ内に、該第１放熱装置２ａ及び該第２放熱装置３ａを最大出力で強制的に駆動させる高出力駆動モジュール４１ａが設けられ、かつ該制御装置４ａが該高出力駆動モジュール４１ａに電気的に接続され、少なくとも１つの高出力プログラムのリストを保存したシナリオデータベース４２ａを含み、該シナリオデータベース４２ａが高出力プログラムの起動と停止を検出する検出ユニット４２１ａを含む。これにより、使用者は制御モジュール５ａを通じて自らシナリオデータベース４２ａ中に高出力プログラム（例えば全３Ｄのゲームプログラム）のリストを構築し、このプログラムの起動時は、検出ユニット４２１ａの検出動作を通じ、信号を伝送して高出力駆動モジュール４１ａに駆動コマンドを発するように告知し、該第１放熱装置２ａ及び該第２放熱装置３ａを強制的に最大出力で駆動させ、グラフィックカード本体１ａの温度が上昇する前に、放熱効果が高い環境を準備し、高温状態の形成を直接予防する。
【実施例３】
【００２２】
また、図９と図１０のさらに別の最良の実施例の分解図及び回転速度の三次元関係図を同時に参照する。これらの図からはっきりと分かるように、本実施例は上述の実施例と類似しているが、該制御装置４ｂが該グラフィックプロセッサ１１ｂの動作周波数情報を読み取る周波数フィードバックモジュール４３ｂと、該第１温度センサー２１ｂおよび該第２温度センサー３１ｂの温度情報、該グラフィックプロセッサ１１ｂの動作周波数情報を統合し、制御情報を生成する統合ユニット４４ｂを含む。これにより、制御装置４ｂの参考条件が温度と周波数に増加し、該制御情報を利用してより正確に放熱装置の放熱効果（即ち、ファンの回転速度）を対応して設定する。図１０は温度、グラフィックプロセッサ１１ｂの動作周波数、ファン回転速度の三次元関係図である。
【符号の説明】
【００２３】
１、１ａ        グラフィックカード本体
１１、１１ｂ    グラフィックプロセッサ
１２            給電回路
１３            発光素子
２、２ａ        第１放熱装置
２１、２１ｂ    第１温度センサー
３、３ａ        第２放熱装置
３１、３１ｂ    第２温度センサー
４、４ａ、４ｂ  制御装置
４１ａ          高出力駆動モジュール
４２ａ          シナリオデータベース
４２１ａ        検出ユニット
４３ｂ          周波数フィードバックモジュール
４４ｂ          統合ユニット
５ａ            制御モジュール
【図１】
0003214261.tif 000003
【図２】
0003214261.tif 000004
【図３】
0003214261.tif 000005
【図４】
0003214261.tif 000006
【図５】
0003214261.tif 000007
【図６】
0003214261.tif 000008
【図７】
0003214261.tif 000009
【図８】
0003214261.tif 000010
【図９】
0003214261.tif 000011
【図１０】
0003214261.tif 000012